(57)【要約】【課題】可動体の反被写体側へ突出する絡げピンが板バネに半田付けされていても、ベース部材の開口から撮像素子側へ塵埃等の異物が入り込むのを防止すること、および、光軸方向へ可動体を適切に駆動することが可能なレンズ駆動装置を提供する。【解決手段】このレンズ駆動装置では、可動体は、反被写体側へ突出する絡げピン９を備えており、絡げピン９は、可動体の反被写体側と固定体とを繋ぐバネ片１５に半田付けされて接続されている。レンズ駆動装置の反被写体側部分を構成するベース部材１１には、開口１１ａを囲むように壁部１１ｃが形成され、壁部１１ｃの、絡げピン９とバネ片１５との接続部分の近傍には、切欠き部１１ｈが形成されている。また、ベース部材１１の、壁部１１ｃよりも外周側には、切欠き部１１ｈを囲むように、かつ、光軸方向から見たときに絡げピン９とバネ片１５との接続部分を避けた位置に第２壁部１１ｊが形成されている。【選択図】図４
2014052478.tif 000002
【特許請求の範囲】
【請求項１】
被写体側からの光を反被写体側に配置される撮像素子に向かって通過させるための開口が前記反被写体側に形成されるレンズ駆動装置であって、
レンズを保持し前記レンズの光軸方向へ移動可能な可動体と、前記可動体を前記光軸方向へ移動可能に保持する固定体と、前記可動体を前記光軸方向へ駆動するための駆動機構と、前記可動体の前記反被写体側と前記固定体とを繋ぐ板バネとを備え、
前記駆動機構は、前記可動体に取り付けられる駆動用コイルと、前記固定体に取り付けられ前記駆動用コイルに対向配置される駆動用磁石とを備え、
前記可動体は、前記反被写体側へ突出するとともに前記駆動用コイルの端部が巻回される絡げピンを備え、
前記固定体は、前記開口が形成されるベース部材を備え、
前記絡げピンは、前記板バネに半田付けされて接続され、
前記ベース部材には、前記開口を囲むように壁部が形成され、
前記壁部は、前記ベース部材の前記被写体側の面である被写体側面から前記被写体側に向かって立ち上るように形成され、
前記壁部の、前記絡げピンと前記板バネとの接続部分の近傍には、前記反被写体側に向かって切り欠かれた切欠き部が形成され、
前記ベース部材の前記被写体側面の、前記壁部よりも外周側には、前記切欠き部を囲むように、かつ、前記被写体側へ立ち上るように第２壁部が形成され、
前記第２壁部は、前記光軸方向から見たときに前記接続部分を避けた位置に形成されていることを特徴とするレンズ駆動装置。
【請求項２】
前記被写体側面からの前記第２壁部の高さは、前記被写体側面からの前記壁部の高さよりも低くなっていることを特徴とする請求項１記載のレンズ駆動装置。
【請求項３】
前記第２壁部の内側面は、前記光軸方向から見たときに、前記可動体の外周面よりも前記可動体の内側に配置されていることを特徴とする請求項１または２記載のレンズ駆動装置。
【請求項４】
前記ベース部材の、前記第２壁部に囲まれた領域は、前記被写体側面よりも前記反被写体側へ窪んでいることを特徴とする請求項１から３のいずれかに記載のレンズ駆動装置。
【請求項５】
前記切欠き部の一部には、前記被写体側面からの高さが前記壁部よりも低い第３壁部が形成されていることを特徴とする請求項１から４のいずれかに記載のレンズ駆動装置。
【請求項６】
前記可動体は、２本の前記絡げピンを備え、
前記切欠き部は、前記光軸方向から見たときに前記レンズの光軸を挟むように２箇所に形成されていることを特徴とする請求項１から５のいずれかに記載のレンズ駆動装置。
【請求項７】
前記駆動用コイルへ電流を供給するための給電端子を備え、
前記給電端子は、前記板バネに半田付けされて固定される半田付け部と、前記駆動用コイルに電流を供給するための外部機器に接続される端子部とを備え、
前記ベース部材の外周側部分には、前記被写体側に向かって立ち上る外周壁が形成され、
前記半田付け部は、前記外周壁の近傍に配置されるとともに、前記外周壁の、前記半田付け部の近傍には、前記反被写体側に向かって切り欠かれた第２切欠き部が形成されていることを特徴とする請求項１から６のいずれかに記載のレンズ駆動装置。
【請求項８】
請求項１から７のいずれかに記載のレンズ駆動装置の製造方法であって、
前記レンズ駆動装置の組立完了後に、前記ベース部材の、前記第２壁部に囲まれた領域に溜まった異物を前記切欠き部から前記開口へ洗い流す洗浄工程を備えることを特徴とするレンズ駆動装置の製造方法。
【発明の詳細な説明】
【技術分野】
【０００１】
本発明は、携帯電話等で使用される比較的小型のカメラに搭載されるレンズ駆動装置に関する。また、本発明は、かかるレンズ駆動装置の製造方法に関する。
【背景技術】
【０００２】
従来、携帯電話等に搭載されるカメラの撮影用レンズを駆動するレンズ駆動装置として、レンズを保持してレンズの光軸方向へ移動する可動体と、可動体が内部に収容される固定体と、可動体を光軸方向へ移動させるための駆動機構とを備えるレンズ駆動装置が知られている（たとえば、特許文献１参照）。特許文献１に記載のレンズ駆動装置では、可動体は、レンズを保持するレンズバレルと、レンズバレルが固定されるレンズホルダとを備えている。固定体は、レンズ駆動装置の被写体側部分を構成するカバーと、レンズ駆動装置の反被写体側部分を構成するベースと、カバーとベースとの間に配置され駆動機構の外周側を覆うヨークとを備えている。
【０００３】
特許文献１に記載のレンズ駆動装置の反被写体側の端面には、撮像素子を有する撮像ユニットが取り付けられる。カバーおよびベースには、被写体側からの光を撮像素子に向かって通過させるための開口が形成されている。特許文献１に記載のレンズ駆動装置が搭載されるカメラでは、ベースの開口から撮像素子側へ塵埃等の異物が入り込むと、撮影された画像の中にこの異物が影となって写るおそれがある。そこで、特許文献１に記載のレンズ駆動装置では、ベースの被写体側の面に、開口の周囲を全周に亘って取り囲むように突起が形成されている。
【０００４】
また、従来、携帯電話等に搭載されるカメラの撮影用レンズを駆動するレンズ駆動装置として、レンズを保持して光軸方向へ移動する可動体と、可動体を光軸方向へ移動可能に保持する固定体と、可動体を光軸方向へ移動させるための駆動機構とを備えるレンズ駆動装置が知られている（たとえば、特許文献２参照）。特許文献２に記載のレンズ駆動装置は、被写体側で可動体と固定体とを繋ぐ板バネと、反被写体側で可動体と固定体とを繋ぐ板バネとを備えている。駆動機構は、可動体に固定される駆動用コイルと、固定体に固定される駆動用磁石とを備えている。
【０００５】
特許文献２に記載のレンズ駆動装置では、可動体は、レンズが固定されたレンズホルダを保持するスリーブと、駆動用コイルの端部が巻回される絡げピンとを備えている。絡げピンは、スリーブの反被写体側の端面から突出するようにスリーブに固定されている。この絡げピンは、反被写体側に配置される板バネに半田付けされて接続されている。反被写体側に配置される板バネには、給電端子が半田付けされて接続されており、給電端子および板バネ等を介して、駆動用コイルに電流が供給される。
【先行技術文献】
【特許文献】
【０００６】
【特許文献１】特開２００９−２５１５１７号公報
【特許文献２】特開２０１１−１８６２７７号公報
【発明の概要】
【発明が解決しようとする課題】
【０００７】
上述のように、特許文献１に記載のレンズ駆動装置では、ベースの被写体側の面に、開口の周囲を全周に亘って取り囲むように突起が形成されているため、ベースの開口から撮像素子側へ塵埃等の異物が入り込むのを防止することが可能になる。しかしながら、特許文献２に記載のレンズ駆動装置のように、スリーブの反被写体側の端面から突出する絡げピンが板バネに半田付けされているレンズ駆動装置において、開口の周囲を全周に亘って取り囲むように突起が形成されていると、絡げピンと板バネとの接続部分と突起とが干渉して、光軸方向への可動体の移動に支障を来す場合がある。なお、絡げピンと板バネとを半田付けする際の半田の量を管理すれば、絡げピンと板バネとの接続部分と突起との干渉を防止することが可能になるが、小型のレンズ駆動装置では、使用される半田の量がわずかであるため、半田の量を管理することは困難である。
【０００８】
そこで、本発明の課題は、可動体の反被写体側へ突出する絡げピンが板バネに半田付けされていても、ベース部材の開口から撮像素子側へ塵埃等の異物が入り込むのを防止することが可能になるとともに、光軸方向へ可動体を適切に駆動することが可能なレンズ駆動装置を提供することにある。
【課題を解決するための手段】
【０００９】
上記の課題を解決するため、本発明のレンズ駆動装置は、被写体側からの光を反被写体側に配置される撮像素子に向かって通過させるための開口が反被写体側に形成されるレンズ駆動装置であって、レンズを保持しレンズの光軸方向へ移動可能な可動体と、可動体を光軸方向へ移動可能に保持する固定体と、可動体を光軸方向へ駆動するための駆動機構と、可動体の反被写体側と固定体とを繋ぐ板バネとを備え、駆動機構は、可動体に取り付けられる駆動用コイルと、固定体に取り付けられ駆動用コイルに対向配置される駆動用磁石とを備え、可動体は、反被写体側へ突出するとともに駆動用コイルの端部が巻回される絡げピンを備え、固定体は、開口が形成されるベース部材を備え、絡げピンは、板バネに半田付けされて接続され、ベース部材には、開口を囲むように壁部が形成され、壁部は、ベース部材の被写体側の面である被写体側面から被写体側に向かって立ち上るように形成され、壁部の、絡げピンと板バネとの接続部分の近傍には、反被写体側に向かって切り欠かれた切欠き部が形成され、ベース部材の被写体側面の、壁部よりも外周側には、切欠き部を囲むように、かつ、被写体側へ立ち上るように第２壁部が形成され、第２壁部は、光軸方向から見たときに接続部分を避けた位置に形成されていることを特徴とする。
【００１０】
本発明のレンズ駆動装置では、ベース部材に、開口を囲むように壁部が形成されている。また、本発明では、壁部の、絡げピンと板バネとの接続部分の近傍に切欠き部が形成されているが、壁部よりも外周側には、切欠き部を囲むように第２壁部が形成されている。そのため、本発明では、開口を囲む壁部と、壁部に形成される切欠き部を囲む第２壁部とによって、ベース部材の開口から撮像素子側へ塵埃等の異物が入り込むのを防止することが可能になる。また、本発明では、ベース部材の開口を囲むように形成される壁部の、絡げピンと板バネとの接続部分の近傍に切欠き部が形成され、かつ、第２壁部は、光軸方向から見たときに接続部分を避けた位置に形成されている。そのため、本発明では、可動体の反被写体側へ突出する絡げピンが板バネに半田付けされていても、絡げピンと板バネとの接続部分が壁部および第２壁部と干渉するのを防止することが可能になる。したがって、本発明では、可動体の反被写体側へ突出する絡げピンが板バネに半田付けされていても、光軸方向へ可動体を適切に駆動することが可能になる。
【００１１】
本発明において、被写体側面からの第２壁部の高さは、被写体側面からの壁部の高さよりも低くなっていることが好ましい。このように構成すると、絡げピンと板バネとの接続部分と第２壁部との干渉をより確実に防止することが可能になる。
【００１２】
本発明において、第２壁部の内側面は、光軸方向から見たときに、可動体の外周面よりも可動体の内側に配置されていることが好ましい。このように構成すると、可動体の外周側を通過した塵埃等の異物が第２壁部の内側へ直接、入り込むのを防止することが可能になる。したがって、ベース部材の開口から撮像素子側へ塵埃等の異物が入り込むのを効果的に防止することが可能になる。
【００１３】
本発明において、ベース部材の、第２壁部に囲まれた領域は、被写体側面よりも反被写体側へ窪んでいることが好ましい。また、本発明において、切欠き部の一部には、被写体側面からの高さが壁部よりも低い第３壁部が形成されていることが好ましい。このように構成すると、第２壁部に囲まれた領域に塵埃等の異物を溜めることが可能になる。したがって、仮に、第２壁部の内側へ異物が入り込んだとしても、ベース部材の開口から撮像素子側へ塵埃等の異物が入り込むのを防止することが可能になる。
【００１４】
本発明において、たとえば、可動体は、２本の絡げピンを備え、切欠き部は、光軸方向から見たときにレンズの光軸を挟むように２箇所に形成されている。
【００１５】
本発明において、レンズ駆動装置は、駆動用コイルへ電流を供給するための給電端子を備え、給電端子は、板バネに半田付けされて固定される半田付け部と、駆動用コイルに電流を供給するための外部機器に接続される端子部とを備え、ベース部材の外周側部分には、被写体側に向かって立ち上る外周壁が形成され、半田付け部は、外周壁の近傍に配置されるとともに、外周壁の、半田付け部の近傍には、反被写体側に向かって切り欠かれた第２切欠き部が形成されていることが好ましい。このように構成すると、第２切欠き部を利用して、半田付け部と板バネとが半田付けされる部分に半田ごてを容易に近づけることが可能になる。したがって、板バネと給電端子との半田付けをより容易に行うことが可能になる。
【００１６】
本発明のレンズ駆動装置は、たとえば、レンズ駆動装置の組立完了後に、ベース部材の、第２壁部に囲まれた領域に溜まった異物を切欠き部から開口へ洗い流す洗浄工程を備える製造方法で製造される。この製造方法で製造されたレンズ駆動装置では、レンズ駆動装置の組立時に、仮に第２壁部の内側へ塵埃等の異物が入り込んだとしても、洗浄工程でこの異物を洗い流すことができる。したがって、この製造方法で製造されたレンズ駆動装置では、レンズ駆動装置の組立時に、仮に第２壁部の内側へ塵埃等の異物が入り込んだとしても、洗浄工程でこの異物を洗い流して、ベース部材の開口から撮像素子側へ塵埃等の異物が入り込むといった不具合を防止することが可能になる。
【発明の効果】
【００１７】
以上のように、本発明のレンズ駆動装置では、可動体の反被写体側へ突出する絡げピンが板バネに半田付けされていても、ベース部材の開口から撮像素子側へ塵埃等の異物が入り込むのを防止することが可能になるとともに、光軸方向へ可動体を適切に駆動することが可能になる。また、本発明のレンズ駆動装置の製造方法で製造されたレンズ駆動装置では、レンズ駆動装置の組立時に、仮に第２壁部の内側へ塵埃等の異物が入り込んだとしても、洗浄工程でこの異物を洗い流すため、ベース部材の開口から撮像素子側へ塵埃等の異物が入り込むといった不具合を防止することが可能になる。
【図面の簡単な説明】
【００１８】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図３に示すベース部材、板バネ、絡げピンおよび給電端子の組立状態の斜視図である。
【図５】図４に示すベース部材、板バネ、絡げピンおよび給電端子の組立状態の平面図である。
【図６】図５のＦ−Ｆ断面の断面図である。
【図７】図３に示すベース部材の拡大斜視図である。
【図８】（Ａ）は、図５のＧ部の拡大図であり、（Ｂ）は、図５のＨ部の拡大図である。
【図９】本発明の他の実施の形態にかかる第２壁部および第３壁部を説明するための拡大斜視図である。
【発明を実施するための形態】
【００１９】
以下、図面を参照しながら、本発明の実施の形態を説明する。
【００２０】
（レンズ駆動装置の概略構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。図４は、図３に示すベース部材１１、板バネ６、絡げピン９および給電端子１３の組立状態の斜視図である。なお、以下の説明では、図１等に示すように、互いに直交する３方向のそれぞれをＸ方向、Ｙ方向およびＺ方向とする。また、Ｘ方向を左右方向、Ｙ方向を前後方向、Ｚ方向を上下方向とする。また、Ｘ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。
【００２１】
本形態のレンズ駆動装置１は、携帯電話、ドライブレコーダあるいは監視カメラシステム等で使用される比較的小型のカメラに搭載されるものであり、図１に示すように、全体として略四角柱状に形成されている。具体的には、レンズ駆動装置１は、撮影用のレンズの光軸Ｌの方向（光軸方向）から見たときの形状が略正方形状となるように形成されている。また、レンズ駆動装置１の４つの側面は、左右方向または前後方向と略平行になっている。
【００２２】
本形態では、Ｚ方向（上下方向）が光軸方向とほぼ一致している。また、本形態のレンズ駆動装置１が搭載されるカメラでは、下側に図示を省略する撮像素子が配置されており、上側に配置される被写体が撮影される。すなわち、本形態では、上側（Ｚ１方向側）は被写体側（物体側）であり、下側（Ｚ２方向側）は反被写体側（撮像素子側、像側）である。
【００２３】
レンズ駆動装置１は、図１、図２に示すように、撮影用のレンズを保持し光軸方向へ移動可能な可動体２と、可動体２を光軸方向へ移動可能に保持する固定体３と、可動体２を光軸方向へ駆動するための駆動機構４とを備えている。また、レンズ駆動装置１は、図２、図３に示すように、可動体２と固定体３とを繋ぐ板バネ５、６を備えている。すなわち、可動体２は、板バネ５、６を介して固定体３に移動可能に保持されている。本形態では、板バネ５が可動体２の上端側に配置され、板バネ６が可動体２の下端側に配置されている。
【００２４】
可動体２は、複数のレンズが固定されたレンズホルダ７を保持するスリーブ８と、駆動機構６を構成する後述の駆動用コイル２０の端部を絡げるための２本の絡げピン９（図４参照）とを備えている。固定体３は、レンズ駆動装置１の側面の上端側部分を構成するカバー部材１０と、レンズ駆動装置１の側面の下端側部分およびレンズ駆動装置１の下端面を構成するベース部材１１と、板バネ５の一部が固定されるスペーサ１２とを備えている。ベース部材１１には、駆動機構４を構成する後述の駆動用コイル２０に電流を供給するための一対の給電端子１３が固定されている。
【００２５】
レンズホルダ７は、略円筒状に形成されている。このレンズホルダ７の内周側には、複数のレンズが固定されている。スリーブ８は、たとえば、樹脂材料で形成されるとともに、略筒状に形成されている。具体的には、スリーブ８は、上下方向から見たときの内周面の形状が略円形状となり、上下方向から見たときの外周面の形状が略四角形状となる略筒状に形成されている。このスリーブ８は、その内周側でレンズホルダ７を保持している。
【００２６】
絡げピン９は、導電性を有する金属材料で形成されている。この絡げピン９は、スリーブ８の下端側に形成された固定孔に固定されている。２本の絡げピン９は、スリーブ８の右後端の角部と、左前端の角部とに固定されている。絡げピン９の下端側は、スリーブ８の下端よりも下側へ突出している。スリーブ８の下端から突出した絡げピン９の下端側には、駆動機構４を構成する後述の駆動用コイル２０の端部が巻回されている。
【００２７】
カバー部材１０は、磁性を有する金属材料で形成されている。また、カバー部材１０は、底部１０ａと筒部１０ｂとを有する底付きの略四角筒状に形成されている。上側に配置される底部１０ａの中心には、被写体側（上側）からの光を撮像素子に向かって通過させるための開口１０ｃが形成されている。開口１０ｃは、底部１０ａを貫通するように形成されている。カバー部材１０は、可動体２および駆動機構４の外周側を覆っている。
【００２８】
ベース部材１１は、絶縁性を有する樹脂材料で形成されている。また、ベース部材１１は、光軸方向から見たときの形状が略正方形となるブロック状に形成されている。このベース部材１１は、カバー部材１０の下端側に取り付けられている。ベース部材１１の詳細な構成については後述する。
【００２９】
スペーサ１２は、たとえば、樹脂材料で形成されるとともに、略正方形の扁平なブロック状に形成されている。また、スペーサ１２は、枠状に形成されており、その中心には、貫通孔が形成されている。このスペーサ１２は、カバー部材１０の底部１０ａの下面に固定されている。
【００３０】
板バネ５は、スリーブ８の上端側に固定される円環状の可動体固定部と、スペーサ１２に固定される４個の固定体固定部と、可動体固定部と固定体固定部とを繋ぐ４本の腕部とを備えている。この板バネ５は、その厚さ方向と上下方向とが略一致するように、スリーブ８およびスペーサ１２に固定されており、可動体２の上端側と固定体３とを繋いでいる。
【００３１】
板バネ６は、互いに電気的に分離された２個のバネ片１５によって構成されている。この板バネ６は、可動体２の下端側と固定体３とを繋いでいる。板バネ６の詳細な構成については、後述する。
【００３２】
給電端子１３は、導電性を有する金属材料によって平板状に形成されている。この給電端子１３は、バネ片１５に半田付けされて固定される半田付け部１３ａと、外部コネクタや外部基板等の、外部から駆動用コイル２０に電流を供給するための外部機器（図示省略）に接続される端子部１３ｂと、半田付け部１３ａと端子部１３ｂとを繋ぐ基部１３ｃとを備えている。基部１３ｃは、細長い略長方形状に形成されている。半田付け部１３ａは、略長方形状に形成され、基部１３ｃの長手方向の一端から基部１３ｃの長手方向に直交する方向の一方へ突出している。端子部１３ｂは、略長方形状に形成され、基部１３ｃの長手方向の他端から基部１３ｃの長手方向に直交する方向の他方へ突出している。
【００３３】
駆動機構４は、スリーブ８の外周側に巻回される２個の駆動用コイル２０と、レンズ駆動装置１の４つの側面のそれぞれに沿って配置される駆動用磁石２１とを備えている。２個の駆動用コイル２０は、上下方向に所定の間隔をあけた状態で、スリーブ８の外周面に巻回されている。本形態では、１本の導線がスリーブ８の外周面に巻回されることで２個の駆動用コイル２０が形成されている。駆動用コイル２０を構成する導線の一端側は、２本の絡げピン９のうちの一方の絡げピン９に巻回され、導線の他端側は、他方の絡げピン９に巻回されている。駆動用磁石２１は、略矩形の平板状に形成されている。駆動用磁石２１は、駆動用コイル２０の外周面に対向するようにカバー部材１０の筒部１０ｂの内側面に固定されている。なお、本形態のカバー部材１０は、磁気回路を形成するためのヨークの機能を果たしている。
【００３４】
（ベース部材および板バネの構成）
図５は、図４に示すベース部材１１、板バネ６、絡げピン９および給電端子１３の組立状態の平面図である。図６は、図５のＦ−Ｆ断面の断面図である。図７は、図３に示すベース部材１１の拡大斜視図である。図８（Ａ）は、図５のＧ部の拡大図であり、図８（Ｂ）は、図５のＨ部の拡大図である。
【００３５】
ベース部材１１は、上述のように、光軸方向から見たときの形状が略正方形となるブロック状に形成されている。ベース部材１１の中心には、被写体側（上側）からの光を撮像素子に向かって通過させるための開口１１ａが形成されている。すなわち、レンズ駆動装置１の下端側には、被写体側からの光を撮像素子に向かって通過させるための開口１１ａが形成されている。開口１１ａは、ベース部材１１を貫通するように形成されている。
【００３６】
ベース部材１１の上面（すなわち、被写体側の面（被写体側面））１１ｂには、開口１１ａを囲むように略円環状の壁部１１ｃが形成されている。上面１１ｂの四隅には、バネ片１５を構成する後述の固定体固定部１５ｂが固定されるバネ固定部１１ｄが上面１１ｂよりも上側に突出するように形成されている。上面１１ｂの、壁部１１ｃの外周側には、上下方向における可動体２の基準位置を決めるための位置決め部１１ｅが上面１１ｂよりも上側に突出するように形成されている。上面１１ｂの外周側部分には、上側に向かって立ち上る外周壁１１ｆが形成されている。また、ベース部材１１には、給電端子１３が圧入されて固定される２個の圧入部１１ｇが形成されている。
【００３７】
壁部１１ｃは、上側に向かって立ち上るように開口１１ａの縁に形成されている。壁部１１ｃには、下側に向かって切り欠かれた切欠き部１１ｈが形成されている。切欠き部１１ｈは、上下方向から見たときに光軸Ｌを挟むように２箇所に形成されている。具体的には、切欠き部１１ｈは、壁部１１ｃの右後ろ側と左前側の２箇所に形成されている。上面１１ｂの、壁部１１ｃよりも外周側には、切欠き部１１ｈを囲むように第２壁部１１ｊが形成されている。すなわち、上面１１ｂの、切欠き部１１ｈの外周側には、切欠き部１１ｈを囲むように第２壁部１１ｊが形成されている。第２壁部１１ｊは、上側に立ち上るように形成されている。上面１１ｂからの第２壁部１１ｊの高さは、上面１１ｂからの壁部１１ｃの高さよりも低くなっている。
【００３８】
第２壁部１１ｊは、上下方向から見たときの形状が略五角形状となるように形成されている。また、第２壁部１１ｊは、壁部１１ｃの周方向における切欠き部１１ｈの両端に繋がるように形成されている。第２壁部１１ｊの内側面１１ｋは、上下方向から見たときに、図８（Ａ）、（Ｂ）に示すように、スリーブ８の外周面（すなわち、可動体２の外周面）よりもスリーブ８の内側に配置されている。すなわち、ベース部材１１の左前側に形成される第２壁部１１ｊの内側面１１ｋは、スリーブ８の外周面よりも右側かつ後ろ側に配置され、ベース部材１１の右後ろ側に形成される第２壁部１１ｊの内側面１１ｋは、スリーブ８の外周面よりも左側かつ前側に配置されている。なお、本形態の第２壁部１１ｊは、上下方向から見たときの形状が略五角形状となるように形成されているが、第２壁部１１ｊは、上下方向から見たときの形状が四角形状、半円形状あるいはかまぼこ形状等の略五角形状以外の形状となるように形成されても良い。
【００３９】
切欠き部１１ｈの一部には、上面１１ｂから高さが壁部１１ｃよりも低い第３壁部１１ｍが形成されている。第３壁部１１ｍは、第２壁部１１ｊに繋がるように、壁部１１ｃの周方向における切欠き部１１ｈの両端側に形成されている。上面１１ｂからの第３壁部１１ｍの高さは、上面１１ｂからの第２壁部１１ｊの高さと等しくなっている。また、第３壁部１１ｍの間に形成される切欠き部１１ｈの底面１１ｎは、上面１１ｂと同一平面状に形成されている。
【００４０】
ベース部材１１の、第２壁部１１ｊに囲まれた領域（より具体的には、第２壁部１１ｊと第３壁部１１ｍとに囲まれた領域）は、上面１１ｂよりも下側へ窪んでいる。すなわち、第２壁部１１ｊに囲まれた領域の底面１１ｐは、上面１１ｂよりも下側に配置されている。
【００４１】
バネ固定部１１ｄの上面は、上下方向に直交する平面状に形成されている。位置決め部１１ｅは、光軸Ｌを中心に略９０°ピッチで４箇所に形成されている。位置決め部１１ｅの上面は、上下方向に直交する平面状に形成されている。本形態では、位置決め部１１ｅの上面にスリーブ８の下端面が当接しているときに、可動体２は、光軸方向における基準位置にある。
【００４２】
外周壁１１ｆは、光軸方向から見たときの形状が略正方形の枠状となるように形成されている。この外周壁１１ｆは、図２に示すように、カバー部材１０の下端側部分の内周側に配置されている。また、外周壁１１ｆは、Ｙ方向とＺ方向とによって形成されるＹＺ平面に平行な２個の外周壁部１１ｑと、Ｚ方向とＸ方向とによって形成されるＺＸ平面に平行な２個の外周壁部１１ｒとから構成されている。
【００４３】
外周壁部１１ｑの前端側には、前後方向の所定の範囲で外周壁部１１ｑの一部が下側に向かって切り欠かれた第２切欠き部としての切欠き部１１ｓが形成されている。切欠き部１１ｓは、外周壁部１１ｑの前端から後ろ側に向かって所定の範囲に形成されている。外周壁部１１ｑの後端側には、前後方向の所定の範囲で外周壁部１１ｑの一部が下側に向かって切り欠かれた切欠き部１１ｔが形成されている。切欠き部１１ｔは、外周壁部１１ｑの後端から前側に向かって所定の範囲に形成されている。切欠き部１１ｓ、１１ｔは、その底面がバネ固定部１１ｄの上面よりも下側に配置されるように形成されている。
【００４４】
前側に配置される外周壁部１１ｒには、この外周壁部１１ｒの一部が左右方向の所定の範囲で下側に向かって切り欠かれた２個の切欠き部１１ｕが形成されている。切欠き部１１ｕは、前側に配置される外周壁部１１ｆの左右両端よりも左右方向の内側へずれた位置から左右方向の内側に向かって所定の範囲に形成されている。切欠き部１１ｕは、その底面がバネ固定部１１ｄの上面よりも上側に配置されるように形成されている。
【００４５】
２個の圧入部１１ｇは、前側に配置される外周壁部１１ｒに沿うように、外周壁部１１ｒの後ろ側に形成されている。また、２個の圧入部１１ｇは、光軸Ｌを通過するＹＺ平面に対して対称に形成されている。圧入部１１ｇは、バネ固定部１１ｄの上面よりも下側へ窪む凹部によって構成されており、その一部は、細い溝状に形成された溝部となっている。また、圧入部１１ｇの左右方向の内側端には、上下方向へ貫通する貫通孔が形成されている。
【００４６】
バネ片１５は、図４に示すように、スリーブ８の下端側に固定される可動体固定部１５ａと、ベース部材１１に固定される２個の固定体固定部１５ｂと、可動体固定部１５ａと固定体固定部１５ｂとを繋ぐ２本の腕部１５ｃとを備えている。また、バネ片１５は、給電端子１３が半田付けされて電気的に接続される接続部１５ｄを備えている。バネ片１５は、その厚さ方向と上下方向とが略一致するように、スリーブ８およびベース部材１１に固定されている。
【００４７】
可動体固定部１５ａは、略円弧状に形成されている。可動体固定部１５ａには、絡げピン９が半田付けされて接続されるピン接続部１５ｅが形成されている。固定体固定部１５ｂは、バネ固定部１１ｄの上面に載置されて固定されている。腕部１５ｃは、バネ片１５の所望のバネ特性を得ることができるように形成されている。具体的には、腕部１５ｃは、細長く形成されるとともに緩やかに湾曲している。接続部１５ｄは、略長方形状に形成されている。この接続部１５ｄは、前側に配置される固定体固定部１５ｂに繋がるように形成されている。
【００４８】
ピン接続部１５ｅには、スリーブ８の右後端の角部と左前端の角部とに固定される絡げピン９のそれぞれの下端側が半田付けされて接続されている。図５に示すように、上下方向から見たときに、絡げピン９は、第２壁部１１ｊに囲まれた領域の中に配置されている。また、絡げピン９とピン接続部１５ｅとの接続部分も、第２壁部１１ｊに囲まれた領域の中に配置されている。すなわち、壁部１１ｃの、絡げピン９とピン接続部１５ｅとの接続部分の近傍には、切欠き部１１ｈが形成されている。また、上下方向から見たときに、第２壁部１１ｊは、絡げピン９とピン接続部１５ｅとの接続部分を避けた位置に形成されている。本形態では、可動体２が光軸方向における基準位置にあるときには、図６に示すように、絡げピン９の下端は、壁部１１ｃの上端よりも下側にある。また、このときには、絡げピン９の下端は、第２壁部１１ｊの上端よりも上側にある。なお、絡げピン９の下端が第２壁部１１ｊの上端よりも下側に配置されるように第２壁部１１ｊが形成されても良い。
【００４９】
給電端子１３は、２個の圧入部１１ｇのそれぞれに圧入されて固定されている。具体的には、給電端子１３とＺＸ平面とが平行になるように、かつ、左右方向の外側に半田付け部１３ａが配置され、左右方向の内側に端子部１３ｂが配置されるように、給電端子１３は、圧入部１１ｇに圧入されて固定されている。また、給電端子１３は、半田付け部１３ａが上側に配置され、端子部１３ｂが下側に配置されるように、圧入部１１ｇに固定されている。図１に示すように、端子部１３ｂの下端側は、レンズ駆動装置１の前面側で外部に露出している。
【００５０】
半田付け部１３ａは、ベース部材１１の右前の隅および左前の隅に配置されている。半田付け部１３ａの後面の下端側には、バネ片１５の接続部１５ｄの前端が当接した状態で、あるいは、やや隙間をあけた状態で、接続部１５ｄが半田付けされて固定されている。上述のように、外周壁部１１ｑの前端側には、切欠き部１１ｓが形成されている。すなわち、半田付け部１３ａと接続部１５ｄとの接続部分の近傍には、切欠き部１１ｓが形成されている。本形態では、切欠き部１１ｓを利用して、半田付け部１３ａと接続部１５ｄとの半田付け作業が行われる。なお、本形態では、切欠き部１１ｓ、１１ｔを利用して、バネ固定部１１ｄへの固定体固定部１５ｂの固定作業が行われる。
【００５１】
（レンズ駆動装置の製造方法）
以上のように構成されたレンズ駆動装置１の製造工程では、レンズ駆動装置１の組立完了後に、ベース部材１１の、第２壁部１１ｊに囲まれた領域の底面１１ｐに溜まった塵埃等の異物を切欠き部１１ｈから開口１１ａへ洗い流す洗浄工程が設けられている。この洗浄工程では、レンズ駆動装置１の組立時に底面１１ｐに溜まった異物は、壁部１１ｃの周方向における切欠き部１１ｈの両端側に形成される第３壁部１１ｍの間から開口１１ａへ洗い流され、開口１１ａへ洗い流された異物は、レンズ駆動装置１の下側へ排出される。
【００５２】
（本形態の主な効果）
以上説明したように、本形態では、ベース部材１１に、開口１１ａを囲むように壁部１１ｃが形成されている。また、本形態では、壁部１１ｃに切欠き部１１ｈが形成されているが、切欠き部１１ｈの外周側には、切欠き部１１ｈを囲むように第２壁部１１ｊが形成されている。そのため、本形態では、開口１１ａを囲む壁部１１ｃと、壁部１１ｃに形成される切欠き部１１ｈを囲む第２壁部１１ｊとによって、開口１１ａから撮像素子側へ塵埃等の異物が入り込むのを防止することが可能になる。
【００５３】
また、本形態では、壁部１１ｃの、絡げピン９とバネ片１５との接続部分の近傍には、切欠き部１１ｈが形成され、かつ、上下方向から見たときに、第２壁部１１ｊは、絡げピン９とバネ片１５との接続部分を避けた位置に形成されている。そのため、本形態では、可動体２の反被写体側へ突出する絡げピン９がバネ片１５に半田付けされていても、絡げピン９とバネ片１５との接続部分が壁部１１ｃおよび第２壁部１１ｊと干渉するのを防止することが可能になる。したがって、本形態では、可動体２の反被写体側へ突出する絡げピン９がバネ片１５に半田付けされていても、光軸方向へ可動体２を適切に駆動することが可能になる。また、本形態では、上面１１ｂからの第２壁部１１ｊの高さが上面１１ｂからの壁部１１ｃの高さよりも低くなっているため、絡げピン９とバネ片１５との接続部分と第２壁部１１ｊとの干渉をより確実に防止することが可能になる。
【００５４】
本形態では、第２壁部１１ｊの内側面１１ｋは、上下方向から見たときに、スリーブ８の外周面よりもスリーブ８の内側に配置されている。そのため、本形態では、カバー部材１０の開口１０ｃからレンズ駆動装置１の内部に侵入し、スリーブ８の外周側を通過した塵埃等の異物が第２壁部１１ｊの内側へ直接、入り込むのを防止することが可能になる。したがって、本形態では、ベース部材１１の開口１１ａから撮像素子側へ塵埃等の異物が入り込むのをより確実に防止することが可能になる。
【００５５】
本形態では、第２壁部１１ｊに囲まれた領域の底面１１ｐは、上面１１ｂよりも下側に窪んでいる。また、本形態では、切欠き部１１ｈの一部に、上面１１ｂから高さが壁部１１ｃよりも低い第３壁部１１ｍが形成されている。そのため、本形態では、第２壁部１１ｊと第３壁部１１ｍとに囲まれた領域に塵埃等の異物を溜めることが可能になる。したがって、仮に、第２壁部１１ｊの内側へ異物が入り込んだとしても、ベース部材１１の開口１１ａから撮像素子側へ塵埃等の異物が入り込むのを防止することが可能になる。
【００５６】
本形態では、半田付け部１３ａと接続部１５ｄとの接続部分の近傍に切欠き部１１ｓが形成されている。そのため、半田付け部１３ａと接続部１５ｄとの半田付け作業を行う際に、切欠き部１１ｓを利用して、半田付け部１３ａと接続部１５ｄとの接続部分に半田ごてを容易に近づけることが可能になる。したがって、本形態では、給電端子１３とバネ片１５との半田付けをより容易に行うことが可能になる。
【００５７】
本形態では、レンズ駆動装置１の製造工程において、レンズ駆動装置１の組立完了後に、ベース部材１１の、第２壁部１１ｊに囲まれた領域の底面１１ｐに溜まった塵埃等の異物を切欠き部１１ｈから開口１１ａへ洗い流す洗浄工程が設けられている。そのため、本形態では、レンズ駆動装置１の組立時に、仮に第２壁部１１ｊの内側へ塵埃等の異物が入り込んだとしても、洗浄工程でこの異物を洗い流すことができる。したがって、本形態では、レンズ駆動装置１の組立時に、仮に第２壁部１１ｊの内側へ塵埃等の異物が入り込んだとしても、洗浄工程でこの異物を洗い流して、ベース部材１１の開口１１ａから撮像素子側へ塵埃等の異物が入り込むといった不具合を防止することが可能になる。
【００５８】
（他の実施の形態）
上述した形態は、本発明の好適な形態の一例ではあるが、これに限定されるものではなく本発明の要旨を変更しない範囲において種々変形実施が可能である。
【００５９】
上述した形態において、第３壁部１１ｍの端面の、第２壁部１１ｊ側に、図９（Ａ）に示すように、面取り部１１ｗが形成されても良い。この場合には、レンズ駆動装置１の組立完了後の洗浄工程において、底面１１ｐに溜まった異物が第３壁部１１ｍの間から開口１１ａへ流出しやすくなる。
【００６０】
また、図９（Ｂ）に示すように、壁部１１ｃの周方向における切欠き部１１ｈの一端側に形成される第３壁部１１ｍの内側面とこの第３壁部１１ｍに繋がる第２壁部１１ｊとの内側面とが、上下方向から見たときに略円弧状に形成されるように、第２壁部１１ｊおよび第３壁部１１ｍが形成されても良い。この場合には、レンズ駆動装置１の組立完了後の洗浄工程において、底面１１ｐに溜まった異物が切欠き部１１ｈから開口１１ａへ流出しやすくなる。なお、この場合には、図９（Ｂ）に示すように、壁部１１ｃの周方向における切欠き部１１ｈの他端側に第３壁部１１ｍが形成されないことが好ましい。また、この場合には、図９（Ｂ）に示すように、第３壁部１１ｍの端面の、第２壁部１１ｊ側に、面取り部１１ｗが形成されることが好ましい。
【００６１】
上述した形態では、第２壁部１１ｊは、壁部１１ｃの周方向における切欠き部１１ｈの両端に繋がるように形成されている。この他にもたとえば、第２壁部１１ｊは、壁部１１ｃの周方向における切欠き部１１ｈの両端よりも、周方向における外側で壁部１１ｃに繋がるように形成されても良い。
【００６２】
上述した形態では、上面１１ｂからの第２壁部１１ｊの高さは、上面１１ｂからの壁部１１ｃの高さよりも低くなっているが、絡げピン９とバネ片１５との接続部分と第２壁部１１ｊとの干渉を防止することができるのであれば、上面１１ｂからの第２壁部１１ｊの高さは、上面１１ｂからの壁部１１ｃの高さと同じであっても良いし、上面１１ｂからの壁部１１ｃの高さより高くなっていても良い。
【００６３】
上述した形態では、第２壁部１１ｊに囲まれた領域の底面１１ｐは、上面１１ｂよりも下側に配置されているが、底面１１ｐは、上面１１ｂと同一平面状に配置されても良いし、上面１１ｂより上側に配置されても良い。また、上述した形態では、切欠き部１１ｈに第３壁部１１ｍが形成されているが、切欠き部１１ｈに第３壁部１１ｍが形成されていなくても良い。
【００６４】
上述した形態では、板バネ６は、２個のバネ片１５によって構成されているが、板バネ６は、互いに電気的に分離された３個以上のバネ片によって構成されても良い。この場合、スリーブ８には、バネ片の数に応じた所定本数の絡げピン９が固定される。また、上述した形態では、レンズ駆動装置１は、光軸方向から見たときの形状が略正方形状となるように形成されているが、レンズ駆動装置１は、光軸方向から見たときの形状が略長方形状となるように形成されても良い。また、レンズ駆動装置１は、光軸方向から見たときの形状が略六角形状等の多角形状、円形状、あるいは、楕円形状となるように形成されても良い。
【符号の説明】
【００６５】
１  レンズ駆動装置
２  可動体
３  固定体
４  駆動機構
６  板バネ
９  絡げピン
１１  ベース部材
１１ａ  開口
１１ｂ  上面（被写体側面）
１１ｃ  壁部
１１ｆ  外周壁
１１ｈ  切欠き部
１１ｊ  第２壁部
１１ｋ  内側面
１１ｍ  第３壁部
１１ｓ  切欠き部（第２切欠き部）
１３  給電端子
１３ａ  半田付け部
１３ｂ  端子部
２０  駆動用コイル
２１  駆動用磁石
Ｌ  光軸
Ｚ  光軸方向
Ｚ１  被写体側
Ｚ２  反被写体側
【図１】
2014052478.tif 000003
【図２】
2014052478.tif 000004
【図３】
2014052478.tif 000005
【図４】
2014052478.tif 000006
【図５】
2014052478.tif 000007
【図６】
2014052478.tif 000008
【図７】
2014052478.tif 000009
【図８】
2014052478.tif 000010
【図９】
2014052478.tif 000011